(57)【要約】【課題】射撃訓練システムに使用する構成品を自由に増減して設置できる。【解決手段】  トレーニーが標的装置に向けてレーザ光線を発射する複数の模擬銃(１１〜１４)から構成されている模擬銃郡と、標的の状態を変化させまた模擬銃が発射したレーザ光線を受光し受光した光信号に含まれる情報によって命中の有効性の確認を行うことができる複数の標的装置(１０１〜１１２)から構成されている標的装置郡と、標的装置と信号処理装置とを接続する複数の中継装置(２０１〜２０２)から構成されている中継装置郡と、模擬銃と標的装置から信号を受信し、受信した信号を判断しいつどこに射撃されたかなどの射撃訓練結果の情報の表示と分析を行う複数の信号処理装置(３０１〜３０２)から構成されている信号処理装置郡を備え、これらの構成数を自由に増減した構成品で射撃訓練を行う。【選択図】図１
2010071538.tif 000002
【特許請求の範囲】
【請求項１】
射撃訓練システムにおいて、
模擬銃を選択する模擬銃選択手段と、
標的を選択する標的選択手段と、
信号処理装置を選択する信号処理装置選択手段とを備え、
前記模擬銃選択手段により前記模擬銃の構成数を増減し、前記標的選択手段により前記標的の構成数を増減できることを特徴とする射撃訓練システム。
【発明の詳細な説明】
【技術分野】
【０００１】
本発明は、射撃訓練のシミュレーションを行うための射撃訓練システムにおいて、射撃訓練で使用する構成品の構成数を増減し、これらの構成品の組合せ(以下射撃訓練系という)を訓練者(以下トレーナーという)が自由に選択でき、この選択された構成品の組合せを用いて射撃訓練を実施することができる射撃訓練システムに関する。
【背景技術】
【０００２】
射撃訓練のシミュレーションにおいては、射撃訓練を実施することによって訓練される者(以下トレーニーという)が射撃する射撃装置(以下模擬銃という)から標的装置に向けてレーザ光線を発射し、標的装置が受光した光信号に含まれる情報によって命中の有効性の確認を行うので、実弾と同様な訓練を行うことができる。また、射撃訓練システムは模擬銃側に設けた標的制御装置から多数の標的装置を無線通信で制御し、更に標的制御装置に設定されたスケジュールに従って多数の標的装置を無線通信で制御することで、よりリアルな射撃訓練を実現することができる射撃訓練システムを提供していた。特許文献１に開示の技術では、自由に移動させることができる携帯端末を用いて、多数の標的装置を無線通信で制御し、更に携帯端末に設定されたスケジュールに従って多数の標的装置を無線通信で制御することで、標的装置の操作性を向上させている。
【０００３】
【特許文献１】特開２００６−２５８３９２号公報
【発明の開示】
【発明が解決しようとする課題】
【０００４】
上記特許文献１に開示の技術では、自由に移動させることができる携帯端末から無線通信によって標的装置を制御できる射撃訓練のシミュレーションを提供していたが、射撃訓練で使用する構成品を選択し、構成品の構成数を増減させ、これらの構成品を組合せてトレーニーの訓練を行うことができないという問題があった。
【０００５】
本発明はこのような状況に鑑みてなされたものであり、上記問題点を解決できる射撃訓練システム及び射撃訓練システムの構成生成方法を提供することを目的とする。
【課題を解決するための手段】
【０００６】
本発明の射撃訓練システムは、模擬銃を選択する模擬銃選択手段と、標的を選択する標的選択手段と、信号処理装置を選択する信号処理装置選択手段とを備え、前記模擬銃選択手段により前記模擬銃の構成数を増減し、前記標的選択手段により前記標的の構成数を増減できることを特徴としている。
【発明の効果】
【０００７】
本発明の射撃訓練システムは、射撃訓練で使用する模擬銃と標的の構成数を増減でき、また射撃訓練の模擬銃、標的、及び信号処理装置などの構成品を自由に組合せた射撃訓練系を用いてトレーニーの射撃訓練を行うことができる射撃訓練システムを提供することができる。
【発明を実施するための最良の形態】
【０００８】
（第１の実施形態）
以下、本発明の第１の実施形態の射撃訓練システムの射撃訓練系データ生成手順について、図１に示す射撃訓練システム１の構成生成例、図２に示す射撃訓練システム管理信号処理装置３００の機能ブロック、図３に示す射撃訓練系生成画面６００、図４に示す射撃訓練系生成手順を用いて説明する。図１に示す射撃訓練システム１の各装置に付けられている番号は、各装置を識別するために付けられたＩＤの番号である。
【０００９】
本発明の第１の実施形態の射撃訓練システム１は、図１に示すように模擬銃郡２と、標的装置郡３、中継装置郡４、信号処理装置郡５から構成されている。模擬銃郡２は、トレーニーが訓練で使用する複数の模擬銃１１〜１４から構成されているグループである。模擬銃１１〜１４は、標的装置１０１〜１１２に向けてレーザ光線を発射する装置である。標的装置郡３は、複数の標的装置１０１〜１１２から構成されているグループである。標的装置１０１〜１１２は、標的の位置や形などの状態を変化させ、また模擬銃１１〜１４が発射したレーザ光線を受光し、受光した光信号に含まれる模擬銃のＩＤなどの情報によって命中の有効性の確認を行うことができる装置である。中継装置郡４は、複数の中継装置２０１〜２０２から構成されているグループである。中継装置２０１〜２０２は、標的装置１０１〜１１２と信号処理装置３０１〜３０２とを接続する装置である。標的装置１０１〜１１２と信号処理装置３０１〜３０２をどのように組み合わせて接続するかについては、トレーナーが予め決定し、その決定に基づいて中継装置２０１〜２０２を設置し、接続している。信号処理装置郡５は、複数の信号処理装置３０１〜３０２から構成されているグループである。信号処理装置３０１〜３０２は、模擬銃１１〜１４と標的装置１０１〜１１２から信号を受信し、受信した信号を判断し、いつどこに射撃されたかなどの射撃訓練結果の情報の表示と分析を行う。また、射撃訓練システム１の管理者によって射撃訓練システム１全体を管理する信号処理装置３０１〜３０２が信号処理装置３０１〜３０２のうちいずれかから予め選択されて決められ(信号処理装置３０１〜３０２のうちからトレーナーが選択した信号処理装置を、射撃訓練システム管理信号処理装置３００とする)、トレーナーは選択された射撃訓練システム管理信号処理装置３００により射撃訓練システム１の構成を生成する。模擬銃１１〜１４、標的装置１０１〜１１２、及び信号処理装置３０１〜３０２には、それぞれデータを送受信するためのユニークなアドレスが割り当てられている。なお、模擬銃、標的装置、中継装置、信号処理装置は図示した個数に限らず任意の個数とすることができる。また、射撃訓練システム管理信号処理装置３００は、信号処理装置３０１〜３０２のどちらかを使用するようにしたが、これとは別に処理装置を設け、射撃訓練システム管理信号処理装置３００としてもよい。
【００１０】
このような構成の射撃訓練システム１において、模擬銃郡２から模擬銃１１〜１４のいずれか１つを選択し、標的装置郡３から標的装置１０１〜１１２の中の複数個を選択し、更に信号処理装置郡５から信号処理装置３０１〜３０２のいずれかを選択して組合せる構成を用いることで、トレーニーの訓練を行い、またトレーニーの射撃レベルを測定することが可能である。例えば、図１の左図に示すように模擬銃郡２から模擬銃１１を選択し、標的装置郡３から標的装置１０１、１０２、１０３、１０５、１０６、１０７、１０９、１１０を選択し、更に信号処理装置３０１を選択して射撃訓練系Ａを生成する。また、図１の右部に示すように模擬銃郡２から模擬銃１２を選択し、標的装置郡３から標的装置１０４、１０８、１１１、１１２を選択し、更に信号処理装置３０１を選択して射撃訓練系Ｂを生成する。このように異なった構成の射撃訓練系Ａと射撃訓練系Ｂを生成することができ、射撃訓練系Ａの模擬銃１１を使用するときは射撃訓練系Ａの標的装置に向けて射撃を行い、また射撃訓練系Ｂの模擬銃１２を使用するトレーニーは、射撃訓練系Ｂの標的装置に向けて射撃を行うことで、トレーニーが異なった構成で訓練を行うことができる。図１に示す本発明の第１の実施形態である射撃訓練システム１の構成生成例では、射撃訓練系Ａと射撃訓練系Ｂの２系列の組合せを生成したが、２系列以上の任意の複数の系列の異なった組合せを生成することができる。
【００１１】
次に、図２を参照して本発明の射撃訓練システム管理信号処理装置３００の機能ブロックについて説明する。図１に示す複数の信号処理装置３０１〜３０２の中から選択された図２の射撃訓練システム管理信号処理装置３００は、制御部３１０、補助記憶部３２０、表示処理部３３０、通信インターフェース部３４０から構成され、バスなどにより接続されている。また、射撃訓練システム管理信号処理装置３００には表示処理部３３０を経由して表示器５００が接続されている。制御部３１０は、ＲＡＭやＲＯＭ等の主記憶手段、及びＭＰＵやＣＰＵ等の制御手段を備え、射撃訓練システム管理信号処理装置３００を総合的にコントロールしている。制御部３１０には、射撃訓練系を生成する処理を行う射撃訓練系データ生成部３１１、射撃訓練中にトレーニーの射撃レベルを測定する処理を行う射撃訓練測定部３１２、射撃訓練で測定した射撃レベルなどのデータを保存する処理を行う射撃訓練測定データ保存部３１３を備えている。射撃訓練系データ生成部３１１、射撃訓練測定部３１２、射撃訓練測定データ保存部３１３は、制御部３１０が主記憶手段に記憶されたプログラムを実行することにより生成された機能ブロックである。
【００１２】
補助記憶部３２０は、フラッシュメモリ等の補助記憶装置で、制御部３１０が実行する処理のプログラムやデータの保存を行う。また、補助記憶部３２０には、射撃訓練構成品データ保存テーブル３２１、射撃訓練系データ保存テーブル３２２、射撃訓練測定データ保存テーブル３２３が記憶されている。射撃訓練構成品データ保存テーブル３２１には、射撃訓練システム１を構成している模擬銃１１〜１４、標的装置１０１〜１１２、中継装置２０１〜２０２、及び信号処理装置３０１〜３０２などの構成品データが保存されている。射撃訓練系データ保存テーブル３２２は、本発明の第２の実施形態で使用するテーブルで、本発明の第２の実施形態で説明する。射撃訓練測定データ保存テーブル３２３には、射撃訓練測定部３１２によって測定され、射撃訓練測定データ保存部３１３によって保存された射撃訓練測定データが保存されている。
【００１３】
表示処理部３３０は、射撃訓練系を生成するための図３に示す射撃訓練系生成画面６００、射撃訓練の測定データなどを表示器５００に表示する。また、トレーナーが図３に示す射撃訓練系生成画面６００から項目をポイントすると、表示処理部３３０はどの項目がポイントされたかを判断し、射撃訓練系データ生成部３１１にこの情報を出力する。通信インターフェース部３４０は、中継装置２０１〜２０２と接続し送受信を行うインターフェースである。また、模擬銃１１〜１４から無線で信号を受信することができるインターフェースである。キー入力装置３５０は、キーボード３５１を備えており、またキーボード３５１には削除キー３５１Ａを備えている。表示器５００に表示される項目をポイントし、削除キー３５１Ａを押下するとポイントした項目が削除される。
【００１４】
上記の例では射撃訓練システム管理信号処理装置３００を、複数台の信号処理装置３０１〜３０２から射撃訓練システムに１台だけ設置したが、複数台の射撃訓練システム管理信号処理装置３００を必要とする場合は、残りの信号処理装置を使用して複数台設置することも可能である。
【００１５】
次に、トレーナーが射撃訓練系データを生成する図３に示す射撃訓練系生成画面６００について説明する。
【００１６】
図３に示す射撃訓練系生成画面６００は、射撃訓練システム管理信号処理装置３００のキーボード３５１の予め決められたキーを押下すると、表示器５００に射撃訓練系生成画面６００が表示されるようになっている。図３に示す射撃訓練系生成画面６００は、［構成品選択］６、[確定]７、[保存]８の項目から構成されているが、[保存]８は本発明の第２の実施形態で使用する項目で、本発明の第２の実施形態で説明する。トレーナーが射撃訓練系生成画面６００から［構成品選択］６、[確定]７の順に操作を行うことで、射撃訓練系データの生成を行うことができる。以下、射撃訓練系生成画面６００の操作手順について説明する。
【００１７】
射撃訓練系生成画面６００の［構成品選択］６には、射撃訓練構成品データ一覧ｄと、模擬銃選択リスト(ＩＤ)ｅ、標的装置選択リスト(ＩＤ)ｆ、信号処理装置選択リスト(ＩＤ)ｇの項目がある。［構成品選択］６の射撃訓練構成品データ一覧ｄに表示されるデータは、射撃訓練構成品データ保存テーブル３２１に保存されている射撃訓練構成品データである。［構成品選択］６の模擬銃選択リスト(ＩＤ)ｅ、標的装置選択リスト(ＩＤ)ｆ、信号処理装置選択リスト(ＩＤ)ｇの初期表示はブランクとなる。トレーナーが射撃訓練構成品データ一覧ｄから模擬銃(１１)〜(１４)のいずれか、標的装置(１０１)〜(１１２)の中の複数個、及び信号処理装置(３０１)〜(３０２)のいずれかを選択すると、模擬銃選択リスト(ＩＤ)ｅ、標的装置選択リスト(ＩＤ)ｆ、信号処理装置選択リスト(ＩＤ)ｇに選択された射撃訓練構成品データの(ＩＤ)が追加又は変更される。また、模擬銃選択リスト(ＩＤ)ｅ、標的装置選択リスト(ＩＤ)ｆ、信号処理装置選択リスト(ＩＤ)ｇに表示されている(ＩＤ)をポイントし、キー入力装置３５０の削除キー３５１Ａを押下するとポイントした(ＩＤ)が削除される。
【００１８】
射撃訓練系生成画面６００の［確定］７の欄には、「確定」ｈと「メッセージ」ｉの欄の項目がある。射撃訓練構成品の選択を終了し確定するときは、「確定」ｈをポイントする。確定した射撃訓練構成品が射撃訓練系データとして登録出来ないときは「メッセージ」ｉの欄にエラーメッセージを表示し、確定した射撃訓練構成品が射撃訓練系データとして登録できるときは「メッセージ」ｉの欄に確定した旨のメッセージを表示する。射撃訓練系データとして登録出来ない理由としては、例えば選択した標的装置(１０１)〜(１１２)のいずれかと選択した信号処理装置(３０１)〜(３０２)のいずれかが中継装置で接続されていないときなどがある。
【００１９】
図４は、本発明の実施の形態における、射撃訓練系生成手順を示すフローチャートである。図４のフローチャートに示すステップ順に基づいて、射撃訓練系生成手順について説明する。
【００２０】
トレーナーが射撃訓練システム管理信号処理装置３００のキーボード３５１の予め決められたキーを押下すると、このキーに対応した信号が図２に示す制御部３１０の射撃訓練系データ生成部３１１に通知される。そして射撃訓練系データ生成部３１１が表示処理部３３０に対して射撃訓練系生成画面６００の表示要求を通知すると、表示処理部３３０は射撃訓練系生成画面６００を表示器５００に表示する。
【００２１】
トレーナーが、射撃訓練系生成画面６００の射撃訓練構成品データ一覧ｄの模擬銃郡から所望の模擬銃を選択すると、表示処理部３３０は選択された模擬銃の(ＩＤ)を模擬銃選択リスト(ＩＤ)ｅに表示する。
トレーナーが、射撃訓練系生成画面６００の射撃訓練構成品データ一覧ｄの標的装置郡から所望の標的装置を選択すると、表示処理部３３０は選択された標的装置の(ＩＤ)を標的装置選択リスト(ＩＤ)ｆに表示する。
トレーナーが、射撃訓練系生成画面６００の射撃訓練構成品データ一覧ｄの信号処理装置郡から所望の信号処理装置を選択すると、表示処理部３３０は選択された信号処理装置の(ＩＤ)を信号処理装置選択リスト(ＩＤ)ｇに表示する。
射撃訓練構成品データ一覧ｄの模擬銃、標的装置、及び信号処理装置の選択は、どの順番で行ってもよい。（ステップＳ１０）
【００２２】
トレーナーは、射撃訓練系生成画面６００の模擬銃選択リスト(ＩＤ)ｅ、標的装置選択リスト(ＩＤ)ｆ、及び信号処理装置選択リスト(ＩＤ)ｇに表示されている構成品を確認し、確定する。トレーナーが射撃訓練系生成画面６００の「確定」ｈをポイントすると、表示処理部３３０は射撃訓練系データ生成部３１１に通知し、生成した射撃訓練系が登録可能かをチェックするステップＳ３０に進む。（ステップＳ２０）
【００２３】
射撃訓練系データ生成部３１１は、射撃訓練系生成画面６００の模擬銃選択リスト(ＩＤ)ｅ、標的装置選択リスト(ＩＤ)ｆ、及び信号処理装置選択リスト(ＩＤ)ｇを表示処理部３３０から入力し、中継装置によって接続可能な構成であるかなど登録可能かをチェックする。そして、射撃訓練系データ生成部３１１は、トレーナーが選択した射撃訓練系生成画面６００の模擬銃選択リスト(ＩＤ)ｅ、標的装置選択リスト(ＩＤ)ｆ、及び信号処理装置選択リスト(ＩＤ)ｇが登録可能でないと判断すると、エラーメッセージを表示するステップＳ４０に進む。また、射撃訓練系データ生成部３１１は、トレーナーが選択した射撃訓練系生成画面６００の模擬銃選択リスト(ＩＤ)ｅ、標的装置選択リスト(ＩＤ)ｆ、及び信号処理装置選択リスト(ＩＤ)ｇが登録可能であると判断すると、確定された旨のメッセージを表示するステップＳ５０に進む。（ステップＳ３０）
【００２４】
ステップＳ３０において、射撃訓練系データ生成部３１１が登録不可と判断すると、射撃訓練系データ生成部３１１は、射撃訓練系生成画面６００の「メッセージ」ｉの欄にエラーメッセージを表示し、再び射撃訓練系生成画面６００の模擬銃選択リスト(ＩＤ)ｅ、標的装置選択リスト(ＩＤ)ｆ、及び信号処理装置選択リスト(ＩＤ)ｇの選択を行うステップＳ１０に戻る。（ステップＳ４０）
【００２５】
ステップＳ３０において、射撃訓練系データ生成部３１１が登録可能と判断すると、射撃訓練系データ生成部３１１は、確定された旨のメッセージを「メッセージ」ｉの欄に表示する。尚、メッセージ表示だけでなく、図１に示すように、生成した構成を図で表示することも可能である。（ステップＳ５０）
【００２６】
このような本発明の第１の実施形態によれば、、射撃訓練で使用する模擬銃と標的の構成数を増減でき、また射撃訓練の模擬銃、標的、及び信号処理装置などの構成品を自由に組合せた射撃訓練系を用いてトレーニーの射撃訓練を行うことができる射撃訓練システムを提供することができる。
【００２７】
（第２の実施の形態）
本発明の第２の実施形態は、本発明の第１の実施形態の射撃訓練システム１において、生成した射撃訓練系を保存し、また保存した射撃訓練系を使用して射撃訓練系を生成することができる実施形態である。本発明の第２の実施形態における射撃訓練システム管理信号処理装置は、図２に示す射撃訓練システム管理信号処理装置３００の射撃訓練系データ保存テーブル３２２が設けられている以外は、本発明の第１の実施形態に同じである。また、本発明の第２の実施形態における射撃訓練系生成画面６００は、図３に示す射撃訓練系生成画面６００に［保存］８が設けられている以外は、本発明の第１の実施形態に同じである。更に、本発明の第２の実施形態には、図５に示す射撃訓練系選択画面７００が設けられている。図６は、本発明の第２の実施形態における、射撃訓練系生成手順を示すフローチャートである。
【００２８】
以下、図２に示す射撃訓練システム管理信号処理装置３００の射撃訓練系データ保存テーブル３２２と、、図３に示す射撃訓練系生成画面６００の［保存］８について説明する。射撃訓練系データ保存テーブル３２２は、射撃訓練系データ生成部３１１によって生成された射撃訓練系データが保存されるテーブルである。射撃訓練系生成画面６００の［保存］８には、「名称」jと「保存」ｋの項目がある。生成した射撃訓練系データを射撃訓練系データ保存テーブル３２２に保存するときは、「名称」jの欄に射撃訓練系データの名称を設定し、「保存」ｋをポイントする。射撃訓練系データ保存テーブル３２２に、「名称」jの欄に設定した名称と同じ名称の射撃訓練系データが存在すれば、保存日時を更新してからその射撃訓練系データに上書される。射撃訓練系データ保存テーブル３２２に、「名称」jの欄に設定した名称と同じ名称の射撃訓練系データが存在しなければ、保存日時と「名称」jの欄に設定した名称の射撃訓練系データが、射撃訓練系データ保存テーブル３２２に新規に保存される。
【００２９】
図５に示す射撃訓練系選択画面７００について説明する。図５に示す射撃訓練系選択画面７００は、射撃訓練システム管理信号処理装置３００の予め決められたキーを押下すると、表示器５００に射撃訓練系選択画面７００が表示されるようになっている。以下、射撃訓練系選択画面７００の操作手順について説明する。射撃訓練系選択画面７００には、図５に示すように射撃訓練系データ一覧ａが表示されている。この射撃訓練系データ一覧ａに表示されるデータは、射撃訓練系データ保存テーブル３２２に保存されている射撃訓練系データである。トレーナーは、射撃訓練系データを新規に生成するときは「新規」ｂをポイントする。トレーナーが保存されている射撃訓練系データを変更して生成するときは、射撃訓練系データ一覧ａから変更する射撃訓練系データの「Ｎｏ.」をポイントしてから、「変更」ｃをポイントする。このようにして「新規」ｂまたは「変更」ｃをポイントすると、図３に示す射撃訓練系生成画面６００が表示される。以降、射撃訓練系生成画面６００を使用して、図６に示す射撃訓練系生成手順に基づいて射撃訓練系を生成する。
【００３０】
図６に示す射撃訓練系生成手順のステップ１０からステップ５０は、本発明の第１の実施形態における図４に示す射撃訓練系生成手順のステップ１０からステップ５０の処理に同じであるので、本発明の第１の実施形態と処理が異なるステップＳ１からステップＳ４、ステップＳ５の処理について以下説明する。
【００３１】
トレーナーが射撃訓練システム管理信号処理装置３００のキーボード３５１の予め決められたキーを押下すると、このキーに対応した信号が図２に示す制御部３１０の射撃訓練系データ生成部３１１に通知される。そして射撃訓練系データ生成部３１１が表示処理部３３０に対して射撃訓練系選択画面７００の表示要求を通知すると、表示処理部３３０は射撃訓練系選択画面７００を表示器５００に表示する。
【００３２】
トレーナーは射撃訓練系データを新規に生成するときは、射撃訓練系選択画面７００の「新規」ｂをポイントする。また、トレーナーは保存されている射撃訓練系データを変更して生成するときは、射撃訓練系選択画面７００の射撃訓練系データ一覧ａの「Ｎｏ．」をポイントしてから「変更」ｃをポイントする。（ステップＳ１）
【００３３】
表示処理部３３０は、射撃訓練系選択画面７００で「新規」ｂまたは「変更」ｃがポイントされた通知を受けると、射撃訓練系データ生成部３１１にこの通知を出力し、射撃訓練系データ生成部３１１は「新規」ｂまたは「変更」ｃのどちらがポイントされたかを判断する。「新規」ｂがポイントされていれば「新規」ｂの処理を行うステップＳ３に進む。また「変更」ｃがポイントされていれば、トレーナーが選択した射撃訓練系データ一覧ａの「Ｎｏ．」に該当する射撃訓練系データを射撃訓練系データ保存テーブル３２２から取り出す「変更」ｃの処理を行うステップＳ４に進む。（ステップＳ２）
【００３４】
ステップＳ３において、射撃訓練系データ生成部３１１は、表示処理部３３０に射撃訓練系生成画面６００の表示要求を通知すると、表示処理部３３０は表示器５００に射撃訓練系生成画面６００を表示する。このとき、模擬銃選択リスト(ＩＤ)ｅ、標的装置選択リスト(ＩＤ)ｆ、信号処理装置選択リスト(ＩＤ)ｇはブランクとなっている。
【００３５】
ステップＳ４において、射撃訓練系データ生成部３１１は、ステップＳ１でトレーナーが選択した射撃訓練系データ一覧ａの「Ｎｏ．」に該当する射撃訓練系データを射撃訓練系データ保存テーブル３２２から取り出す。そして射撃訓練系データ生成部３１１は、取り出した射撃訓練系データを射撃訓練系生成画面６００の模擬銃選択リスト(ＩＤ)ｅ、標的装置選択リスト(ＩＤ)ｆ、信号処理装置選択リスト(ＩＤ)ｇに設定し、表示処理部３３０に射撃訓練系生成画面６００の表示要求を通知すると、表示処理部３３０は表示器５００に射撃訓練系生成画面６００を表示する。
【００３６】
トレーナーが、射撃訓練系生成画面６００の「名称」ｊの欄に射撃訓練系データの名称を入力し「保存」ｋをポイントすると、射撃訓練系データ生成部３１１は、生成した射撃訓練系データを射撃訓練系データ保存テーブル３２２に保存する。（ステップＳ５）
【００３７】
本発明の第２の実施形態において、複数台の射撃訓練システム管理信号処理装置３００を設置し、射撃訓練システム管理信号処理装置３００の射撃訓練構成品データ保存テーブル３２１と射撃訓練系データ保存テーブル３２２の更新を行ったときは、全ての射撃訓練システム管理信号処理装置３００の射撃訓練構成品データ保存テーブル３２１と射撃訓練系データ保存テーブル３２２のデータが同一となるように等価処理を行う必要がある。
【００３８】
このような本発明の第２の実施形態によれば、本発明の第１の実施形態の射撃訓練システム１において、生成した射撃訓練系を保存し、また保存した射撃訓練系を使用して射撃訓練系を生成することができる射撃訓練システムを提供することができる。
【００３９】
本発明の第２の実施形態では、射撃訓練系データを生成する手順について説明したが、更に射撃訓練開始画面と射撃訓練開始処理を設け、射撃訓練開始画面から図２に示す射撃訓練システム管理信号処理装置３００の射撃訓練系データ保存テーブル３２２に保存されている射撃訓練系データを表示させるようにすることができる。トレーナーは、このような射撃訓練開始画面から射撃訓練系データを選択すると、射撃訓練開始処理は選択された射撃訓練系データに基づいて射撃訓練を開始する。このような射撃訓練開始画面を設けることで、トレーナーが選択した射撃訓練系データでトレーニーが訓練を行い、そしてトレーニーの射撃レベルを測定することができる。
【００４０】
また、本発明の第２の実施形態で生成した複数の射撃訓練系を同時に用いて射撃訓練を実施することによって、複数のトレーニーについて同時に訓練を行い、そして各々のトレーニーの射撃レベルを測定することができる射撃訓練システムを提供することができる。
【００４１】
以上、具体的な実施の形態により本発明を説明したが、上記実施の形態は本発明の例示であり、この実施の形態に限定されないことは言うまでもない。
【００４２】
以上をまとめると、本実施の形態は次のような特徴を有する。
（１） 本発明の射撃訓練システムは、模擬銃を選択する模擬銃選択手段と、標的を選択する標的選択手段と、信号処理装置を選択する信号処理装置選択手段とを備え、前記模擬銃選択手段により前記模擬銃の構成数を増減し、前記標的選択手段により前記標的の構成数を増減できることを特徴としている。
（２） （１）の射撃訓練システムは、前記模擬銃と前記標的と前記信号処理装置を組合せて射撃訓練系データとして生成する射撃訓練系データ生成手段とを備え、前記射撃訓練系データ生成手段で生成された前記射撃訓練系データが１つ以上選択され、選択された前記射撃訓練系データの構成で射撃訓練を行うことを特徴としている。
（３） (２)の前記射撃訓練系データ生成手段は、射撃訓練系データを保存する射撃訓練系データ保存手段を備えていることを特徴としている。
（４） (２)から(３)の前記射撃訓練系データ生成手段は、前記射撃訓練系データ保存手段で保存された射撃訓練系データから選択された射撃訓練系データに基づき新たな射撃訓練系データを生成することを特徴としている。
（５） (２)から(４)の前記射撃訓練系データ生成手段は、前記信号処理装置に備えられていることを特徴としている。
（６） (２)から(５)の前記信号処理装置は、射撃訓練測定手段と射撃訓練測定データ保存手段を備えていることを特徴としている。
（７） 本発明の射撃訓練システムの構成生成方法は、模擬銃を選択する模擬銃選択工程と、標的を選択する標的選択工程と、信号処理装置を選択する信号処理装置選択工程とを備え、前記模擬銃選択工程により前記模擬銃の構成数を増減し、前記標的選択工程により前記標的の構成数を増減できることを特徴としている。
【産業上の利用可能性】
【００４３】
本発明は、射撃訓練システム及び射撃訓練システムの構成生成方法に好適であるが、射撃訓練システム及び射撃訓練システムの構成生成方法に限られるものではなく、複数の構成品から生成されているシステム一般に適用可能である。
【図面の簡単な説明】
【００４４】
【図１】本発明の第１の実施形態に係わる射撃訓練システムの構成生成例である。
【図２】本発明の第１の実施形態に係わる射撃訓練システム管理信号処理装置の機能ブロックを示す構成図である。
【図３】本発明の第１の実施形態に係わる射撃訓練系生成画面の一例を示すフォーマット図である。
【図４】本発明の第１の実施形態に係わる射撃訓練系生成手順を示すフローチャート
【図５】本発明の第２の実施形態に係わる射撃訓練系選択画面の一例を示すフォーマット図である。
【図６】本発明の第２の実施形態に係わる射撃訓練系生成手順を示すフローチャート
【符号の説明】
【００４５】
１・・・・・・・・・本発明の射撃訓練システム
２・・・・・・・・・模擬銃郡
３・・・・・・・・・標的装置郡
４・・・・・・・・・中継装置郡
５・・・・・・・・・信号処理装置郡
６・・・・・・・・・本発明の射撃訓練系生成画面の［構成品選択］
７・・・・・・・・・本発明の射撃訓練系生成画面の［確定］
８・・・・・・・・・本発明の射撃訓練系生成画面の［保存］
１１〜１４・・・・・模擬銃
１０１〜１１２・・・標的装置
２０１〜２０２・・・中継装置
３０１〜３０２・・・信号処理装置
３００・・・・・・・射撃訓練システム管理信号処理装置
３１０・・・・・・・制御部
３１１・・・・・・・射撃訓練系データ生成部
３１２・・・・・・・射撃訓練測定部
３１３・・・・・・・射撃訓練測定データ保存部
３２０・・・・・・・補助記憶部
３２１・・・・・・・射撃訓練構成品データ保存テーブル
３２２・・・・・・・射撃訓練系データ保存テーブル
３２３・・・・・・・射撃訓練測定データ保存テーブル
３３０・・・・・・・表示処理部
３４０・・・・・・・通信インターフェース部
３５０・・・・・・・キー入力装置
３５１・・・・・・・キーボード
３５１Ａ・・・・・・削除キー
５００・・・・・・・表示器
６００・・・・・・・射撃訓練系生成画面
７００・・・・・・・射撃訓練系選択画面
【図１】
2010071538.tif 000003
【図２】
2010071538.tif 000004
【図３】
2010071538.tif 000005
【図４】
2010071538.tif 000006
【図５】
2010071538.tif 000007
【図６】
2010071538.tif 000008